(57)【要約】      （修正有）【課題】薄型化が達成可能なマイクロシャッターモジュールを提供する。【解決手段】電磁作動ユニットは台座２の側縁部２０１に設置し、それぞれ概ね細長い形をしたヨークとヨークに巻き付けたコイルを含む。磁気部材は台座に枢設し、且つ先導凸部４２を突設する。パーティションは各電磁作動ユニットと各磁気部材を覆設する。羽根はそれぞれパーティション上に設けると共にスロットを設け、磁気部材の先導凸部４２は対応するスロットに進入し、カバー７は台座２上に覆設する。電磁作動ユニットの設計と位置設定によって台座の体積を縮小して、部材全体の組み立てを薄型化するという目的を達成することができる。【選択図】図２
0003152246.tif 000002
【実用新案登録請求の範囲】
【請求項１】
中央部に光線を通過させる第１絞りを設けた台座であって、前記第１絞りの外周の前記台座の側縁部にそれぞれ枢軸を設けるものと、
それぞれ前記台座の側縁部に設置して前記第１絞りの外周に繞設する３つ以上の電磁作動ユニットであって、各電磁作動ユニットは概ね細長い形をしたヨークと前記ヨークに巻き付けたコイルを含むものと、
それぞれ枢支孔を設けて前記台座の枢軸に枢設して結合する３つ以上の磁気部材であって、各磁気部材は２つの電磁作動ユニットの間にあって２つのヨークの間に設けられ先導凸部を突設するものと、
前記台座に設けられて、各電磁作動ユニットと各磁気部材を覆設するパーティションであって、前記パーティションは前記第１絞りに対応する第２絞りを設け、且つ各磁気部材の先導凸部を突出させる穴を設けるものと、
それぞれ前記パーティションに設けた３つ以上の羽根であって、各羽根にはスロットを設けて、前記各磁気部材の先導凸部が対応するスロットに進入して、各電磁作動ユニットから生じる磁力が各磁気部材の磁力線と相互に作動して、各羽根を開閉間の位置で移動可能にするものと、
前記台座上に覆設するカバーであって、前記カバーには第２絞りに対応する第３絞りを設け、前記各羽根の開閉する位置での移動は前記第１絞り、前記第２絞り、前記第３絞りの開閉であるものと、
を含むことを特徴とするマイクロシャッターモジュール。
【請求項２】
前記台座は３つの連接した側縁部を有し、各側縁部には１つの電磁作動ユニットと１つの磁気部材を設け、各磁気部材は１つの羽根に対応することを特徴とする請求項１に記載のマイクロシャッターモジュール。
【請求項３】
前記台座は４つの連接した側縁部を有し、各側縁部には１つの電磁作動ユニットと１つの磁気部材を設け、各磁気部材は１つの羽根に対応することを特徴とする請求項１に記載のマイクロシャッターモジュール。
【請求項４】
前記台座は４つの連接した側縁部を有し、各側縁部には１つの電磁作動ユニットと１つの磁気部材を設け、各磁気部材は１つの羽根に対応し、２つの隣接する羽根はシャッター羽根で、もう２つの隣接する羽根は絞り羽根で、前記絞り羽根には前記台座の第１絞りに対応する絞り孔を設けることを特徴とする請求項１に記載のマイクロシャッターモジュール。
【請求項５】
各羽根のスロットは連接する枢動孔と先導口を含み、前記台座の枢軸は前記パーティションの穴を貫通して前記枢動孔に進入し、前記磁気部材の先導凸部は前記先導口に進入することを特徴とする請求項１又は請求項２又は請求項３又は請求項４に記載のマイクロシャッターモジュール。
【請求項６】
前記台座の側縁部は収納用凹溝を形成し、各電磁作動ユニットは対応する位置の収納用凹溝内に収納され、前記枢軸は対応する収納用凹溝の壁面より延伸することを特徴とする請求項５に記載のマイクロシャッターモジュール。
【請求項７】
前記カバーの側端は湾曲して位置決め片を延伸し、前記位置決め片は前記台座の側縁部に凹設した切欠内に係止されることを特徴とする請求項５に記載のマイクロシャッターモジュール。
【請求項８】
前記カバーには前記磁気部材の先導凸部と前記台座の枢軸が進入する貫通孔を設けることを特徴とする請求項５に記載のマイクロシャッターモジュール。
【請求項９】
各羽根には小片と前記小片に連接するマスクを有し、前記スロットは前記小片に設け、前記マスクは前記第１、第２及び第３絞りを遮蔽するのに用いることを特徴とする請求項５に記載のマイクロシャッターモジュール。
【考案の詳細な説明】
【技術分野】
【０００１】
本考案はシャッターモジュールに関し、特に薄型化して光学撮影モジュール内に設けたマイクロシャッターモジュールに関する。
【背景技術】
【０００２】
デジタル科学技術の急速な発展に伴い、現在、光線を受信して映像を現す箇所に用いられるデジタル電子製品は、何れも既に従来のネガに替えて感光部材を使用している。感光部材は電荷結合素子（Ｃｈａｒｇｅ−Ｃｏｕｐｌｅｄ  Ｄｅｖｉｃｅ，  ＣＣＤ）又は相補型ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ，  ＣＭＯＳ）で、その中のシャッターがデジタル製品であって感光部材に光が進入するのを制御するための主要部材の一つで、シャッター速度を利用して光線の進入時間を制御し、時間が速いほど光線の進入も少ない。
【０００３】
図１Ａ、図１Ｂは、携帯電話、ＰＤＡ等のハンディタイプ携帯装置又はノートパソコン等の携帯型コンピュータ装置に応用した従来の光学撮影モジュールの中のシャッター装置であり、大体台座１１、台座１１上に設置した２枚の羽根１２、及び台座１１の側辺に設け且つ２枚の羽根１２をスイングさせる電磁弁１３からなり、そのうち電磁弁は主に磁石、ヨーク、ヨークに巻き付けたコイル及び羽根と磁石に連結した指針から構成される。コイルが通電すると磁力と磁石の作用を生じて、電磁弁１３を作動させ２枚の羽根１２をスイングさせて、台座１１の絞り１１１を開閉する。
【考案の概要】
【考案が解決しようとする課題】
【０００４】
然しながら、上記の設計は後述の問題を抱えている。つまり、電磁弁１３が直接２枚の羽根１２を動かし、メカニズム面で正常な作動を確保するために、電磁弁１３の体積全体が大きくなり、台座１１に相当な割合でスペースを占めてしまい、台座１１の体積が増大して組立て全体の厚み、幅等が増すこととなり、このシャッター装置を取り付けるハンディタイプの携帯装置又は携帯型コンピュータ装置等は薄型化ができず、しかも指針と羽根との間に組立ての間隙が有るため作動している間不安定で、従ってどのようにシャッター装置を薄型/小型化設計するかが関係研究スタッフの解決しようとする課題の一つである。
【０００５】
そこで、本考案人は上記の欠点が改善可能と考え、研究に専念する共に併せて学術理論を運用して、合理的設計で上記の欠点を効果的に改善した本考案を提案するものである。
【０００６】
本考案の目的は、薄型化が達成可能なマイクロシャッターモジュールを提供する。
【課題を解決するための手段】
【０００７】
上記の目的を達するため、本考案は台座、３つ以上の電磁作動ユニット、３つ以上の磁気部材、３つ以上の羽根及びパーティション、カバーを含むマイクロシャッターモジュールを提供する。
【０００８】
台座には光線を通過させる第１絞りを設けて台座の側縁部にそれぞれ枢軸を設ける。
【０００９】
電磁作動ユニットはそれぞれ台座の側縁部に排列して設置して第１絞りの外周に繞設し、各電磁作動ユニットは概ね細長い形をしたヨークとヨークに巻き付けたコイルを含む。
【００１０】
磁気部材はそれぞれ枢支孔を設けて台座の枢軸に枢設して結合し、各磁気部材は２つの電磁作動ユニットの間にあって２つのヨークの間に設けられると共に、先導凸部を突設する。
【００１１】
パーティションは各電磁作動ユニットと各磁気部材を覆設し、且つ第１絞りに対応する第２絞りを設け、各磁気部材の先導凸部を突出させる穴を設ける。
【００１２】
羽根はそれぞれパーティションに設けると同時にスロットを設けて、前記磁気部材の先導凸部が対応するスロットに進入する。
【００１３】
カバーは台座上に覆設して第２絞りに対応する第３絞りを設ける。
【００１４】
上記によって、各電磁作動ユニットから生じる磁力と各磁気部材の磁力線とが相互に作動して各羽根を開閉間の位置で移動させ、前記各羽根が開閉する位置で移動すると第１絞り、第２絞り、第３絞りを開閉する。
【考案の効果】
【００１５】
本考案の効果は次の通りである。概ね細長い形をしたヨークによってまず全体の体積を縮小させると共にそれぞれ台座の側縁部に排列して設け、こうして台座体積を縮小させることができ、部材全体の組み立てを薄型化して、優良化した構造設計により、従来の電磁弁が台座のスペースを占めがちとなってシャッターの薄型化達成に不利であった問題を改善した。
【図面の簡単な説明】
【００１６】
【図１Ａ】従来のシャッター装置において羽根が開いたときの状態を示した概略図である。
【図１Ｂ】従来のシャッター装置において羽根が閉じたときの状態を示した概略図である。
【図２】本考案の組合せ斜視図である。
【図３】本考案の分解斜視図である。
【図４】本考案の別の視角での分解斜視図である。
【図５】本考案におけるカバーを取り除いた組合せ斜視図の一部である。
【図６】本考案におけるカバーを取り除いて羽根を開いた状態図である。
【図７】本考案におけるカバーを取り除いて羽根を閉じた状態図である。
【図８】本考案の別の実施例の分解斜視図である。
【図９】本考案におけるカバーを取り除いた別の実施例の分解斜視図の一部である。
【図１０】本考案の別の実施例で羽根が作動する際の状態図１である。
【図１１】本考案の別の実施例で羽根が作動する際の状態図２である。
【図１２】本考案の別の実施例で羽根が作動する際の状態図３である。
【図１３】本考案の別の実施例で羽根が作動する際の状態図４である。
【考案を実施するための形態】
【実施例】
【００１７】
図２から図４で示すように、本考案は台座２、３つ以上の電磁作動ユニット３、３つ以上の磁気部材４、パーティション５、３つ以上の羽根６、及びカバー７を含むマイクロシャッターモジュールを提供する。
【００１８】
台座２の中央部に光線を通過させる第１絞り２１を設け、第１絞り２１の外周の前記台座２の側縁部２０１にはそれぞれ枢軸２２を設ける。台座２の各側縁部２０１には収納用凹溝２３を形成し、枢軸２２は対応する位置の収納用凹溝２３の壁面から延伸してなる。
【００１９】
各電磁作動ユニット３は概ね細長い形をしたヨーク３１と前記ヨーク３１に巻き付けたコイル３２を含む。
【００２０】
各磁気部材４は何れも枢支孔４１を設け、且つ磁気部材４には先導凸部４２を突設する。
【００２１】
パーティション５の中央部には前記第１絞り２１の位置に対応する第２絞り５１を設け、且つパーティション５の側辺部に多数の穴５２を設ける。
【００２２】
各羽根６には何れもスロット６１を設け、それは連接する枢動孔６１１と先導口６１２を含むことができる。そのうち羽根６は小片６２と小片６２に連接するマスク６３を有し、前記スロット６１は小片６２に設ける。
【００２３】
カバー７は中央部に前記第１絞り２１と第２絞り５１の位置に対応する第３絞り７１を設け、側辺部には多数の貫通孔７２を設ける。また、カバー７の側端はそれぞれ湾曲して位置決め片７３を延伸する。
【００２４】
図５で示すように、本考案は主に電磁作動ユニット３をそれぞれ台座２の側縁部２０１に設置して第１絞り２１の外周を繞設するが、台座２の体積を縮減させるため、細長い形をしたヨーク３１によってまず全体の体積を縮小させると共にそれぞれ台座２の側縁部２０１に排列して設け、こうして台座２の体積を縮小させることができる。また、電磁作動ユニット３は側縁部２０１の収納用凹溝２３内に設置される。上記磁気部材４は対応する位置の枢軸２２に枢設して、枢支孔４１と枢軸２２が枢設すると磁気部材４は回動して台座２に設けられ、しかも各磁気部材４は２つの電磁作動ユニット３間にあって２つのヨーク３１の間に設けられ、つまり磁気部材４は２つのヨーク３１に対応する。
【００２５】
又一方では、本考案において台座２の外形は三角形、四辺形又は五、六辺形以上の設計でも構わない。さらに説明すると、三角形である場合、３つの連なる側縁部２０１を有し、こうして各側縁部２０１に１つの電磁作動ユニット３と１つの磁気部材４を設置し、磁気部材４は羽根６に対応する。つまり３つの電磁作動ユニット３、磁気部材４及び羽根６を設ける。本考案の図面では、四辺形の台座２を例に取ることから、台座２は４つの連なる側縁部２０１を有し、従って各側縁部２０１は電磁作動ユニット３と磁気部材４等を設ける。同様の原理で、五辺形以上である場合、前記の設置原理は同様につき、これ以上贅言しないこととする。
【００２６】
パーティション５は台座２の上に設けて各電磁作動ユニット３と各磁気部材４を覆設し、第１絞り２１は第２絞り５１と対応する。また、各磁気部材４の先導凸部４２はパーティション５の穴５２から突き出し、台座２の枢軸２２も穴５２を突き出す。
【００２７】
羽根６はそれぞれパーティション５に設け、各磁気部材４の先導凸部４２は対応するスロット６１内に進入させ、枢軸２２はスロット６１内に進入させ、羽根６は枢軸２２を枢動の中心とする。さらに説明すると、枢軸２２はスロット６１の枢動孔６１１内に進入させ、先導凸部４２は先導口６１２内に進入させる。
【００２８】
カバー７は台座２の上に覆設し、第３絞り７１は第１絞り２１と第２絞り５１に対応し、磁気部材４の先導凸部４２は貫通孔７２内に進入すると共に貫通孔７２内を移動するものの、台座２の枢軸２２も貫通孔７２内に進入する。また、カバー７の位置決め片７３は台座２の側縁部２０１に凹設した切欠２４内に係止することによって、カバー７を精確に台座２の上に組合せる。
【００２９】
上記の説明により、各電磁作動ユニット３のコイル３２が通電すると、磁力を生じて各磁気部材４のＮ、Ｓ極の磁力線と相互に作動して、磁気部材４を回動させ、続いて先導凸部４２と羽根６のスロット６１とを互いに配置することによって、各羽根６を開閉間の位置で移動させて、第１絞り、第２絞り、第３絞りを開閉する。図６は羽根６が開いた位置にあり、図７は羽根６が閉じた位置にあり、羽根６のマスク６３によって前記絞りを遮蔽する。
【００３０】
図８、図９は本考案の別の実施例であり、前記実施例と異なる点は次のとおりである。４つの電磁作動ユニット３、磁気部材４及び羽根６、６’を設けた場合、そのうち２枚の羽根６はシャッター羽根に、もう２枚の羽根６’は絞り羽根に分けられ、つまり２つの隣接する羽根６’のマスク６３’にはそれぞれ絞り孔６４’を設けて、台座２の第１絞り２１に対応する。このため、個別に電磁作動ユニット３の通電状態を制御することによって、羽根６が異なる組合せの開閉状態を生じる。図１０は４枚の羽根６に対応する電磁作動ユニット３の通電状態を制御することによって、引き続きシャッター羽根である２枚の羽根６を開いた状態に、絞り羽根であるもう２枚の羽根６’を閉じた状態に制御していることを示している。さらに図１１はこの４枚の羽根６、６’を同時に開いた状態に制御していることを示している。図１２はこの４枚の羽根６、６’が同時に閉じた状態であることを示している。図１３はシャッター羽根である２枚の羽根６が閉じた状態に、絞り羽根であるもう２枚の羽根６’は開いた状態であることを示している。上記の絞り孔６４’を備えた設計により、本考案のマイクロシャッターモジュールには絞りを制御する効果を有する。
【００３１】
上記の説明をまとめると、本考案は台座の体積縮減を達成するため、細長い形をしたヨークによってまず全体の体積を縮小させると共にそれぞれ台座の側縁部に排列して設け、しかも各電磁作動ユニットと各磁気部材が羽根を動かし、こうして台座体積の縮小化を達成可能にし、部材全体の組み立てを薄型化して、優良化した構造設計により、従来の電磁弁が台座のスペースを占めがちとなってシャッターの薄型化達成に不利であった問題を改善した。そして、磁気部材が直接先導部を延伸させて羽根と連結させて、従来の指針と羽根との間に組立てによる間隙が生じ易い問題を改善して羽根の動作を安定させた。
【符号の説明】
【００３２】
１１    台座
１１１  絞り
１２    羽根
１３    電磁弁
２      台座
２０１  側縁部
２１    第１絞り
２２    枢軸
２３    収納用凹溝
２４    切欠
３      電磁作動ユニット
３１    ヨーク
３２    コイル
４      磁気部材
４１    枢支孔
４２    先導凸部
５      パーティション
５１    第２絞り
５２    穴
６、６’羽根
６１    スロット
６１１  枢動孔
６１２  先導口
６２    小片
６３、６３’  マスク
６４’  絞り孔
７      カバー
７１    第３絞り
７２    貫通孔
７３    位置決め片
【図１Ａ】
0003152246.tif 000003
【図１Ｂ】
0003152246.tif 000004
【図２】
0003152246.tif 000005
【図３】
0003152246.tif 000006
【図４】
0003152246.tif 000007
【図５】
0003152246.tif 000008
【図６】
0003152246.tif 000009
【図７】
0003152246.tif 000010
【図８】
0003152246.tif 000011
【図９】
0003152246.tif 000012
【図１０】
0003152246.tif 000013
【図１１】
0003152246.tif 000014
【図１２】
0003152246.tif 000015
【図１３】
0003152246.tif 000016